(57)【要約】【課題】専用で別部品の傾斜台が不要で、汎用性を持つ傾斜台付きのパレットとして利用できる物品運搬用パレットを提供する。【解決手段】物品運搬用パレット１の上、下両デッキボード２、３の間の中央のケタ部材５を、矩形の柱状部材を２分割した２つの斜面部材５ａ、５ａで構成し、両デッキボード２、３の間に設けた開口支持部７へ挿入、抜去可能に取り付ける。荷下ろし作業では、開口支持部７内からケタ部材５を抜き出し、２分割し、一対の斜面部材５ａをそれぞれ斜面５ｂを上に向け、傾斜の高い方の端部をパレット１の端部に製品１０のキャスター１１の間隔に対応させて配置する。すると製品１０を押して斜面部材５ａの斜面５ｂを利用して簡単に床面の上などへ下せる。２分割してあった斜面部材５ａ、５ａは、その後組み合わせて開口支持部７から両デッキボード２、３の間へ戻して収納する。【選択図】        図１
2004256113.tif 000002
【特許請求の範囲】
【請求項１】
物品を乗せるためのボード材の下側に複数のケタ部材を配してなる物品運搬用パレットにおいて、上記ケタ材の少なくとも一つを上記ボード材から取り外し可能とし、かつ該ケタ材が、一面を斜面とする２分割材からなることを特徴とする物品運搬用パレット。
【請求項２】
物品を乗せるための一対のボード材の間に複数のケタ部材を配してなる物品運搬用パレットにおいて、上記ケタ材の少なくとも一つを上記ボード材の間から抜き取り可能とし、かつ該ケタ材が、一面を斜面とする２分割材からなることを特徴とする物品運搬用パレット。
【請求項３】
物品を乗せるための一対のボード材の間に複数のケタ部材を配してなる物品運搬用パレットにおいて、上記ボード材の間に上記ケタ材の一つを装着保持する開口支持部を設け、かつ該開口支持部に装着する上記ケタ材が、一面を斜面とする２分割材からなることを特徴とする物品運搬用パレット。
【発明の詳細な説明】
【０００１】
【発明の属する技術分野】
本発明は、物品運搬用パレットに関し、詳細にはキャスター付きの商品等の物品運搬時における物品の可動性を向上させたものに関する。
【０００２】
【従来の技術】
重量が５０ｋｇ以上の製品、例えば複写機等を機械荷役で運搬可能とする場合、パレットを装着し、パレットのデッキボード上に製品を載せるのが一般的に行われている。このような製品は、一人や二人の人間では持ち上げて移動させることができないため、例えば３〜４人の作業者が開梱作業の現場に立ちあって製品を直接持ち上げ、パレットのデッキボード上から床あるいは地面へ降ろすことが多い。もちろん重量がかなりある場合にはリフター付きトラックを使用して対応することもある。
【０００３】
一方、搭載した製品にキャスターが付いている場合には、パレットから床や地面へ降ろすための専用の傾斜台（スロープ）を別途製作して使用することがある。
【０００４】
【発明が解決しようとする課題】
ところが専用の傾斜台を用意するということは、運搬時にはそれを携行しなければならず、大変面倒であり、運搬コストとしても傾斜台の分だけ余計に掛かるという問題がある。
【０００５】
本発明は、このような従来の問題点にかんがみ、汎用性を持つ傾斜台付きのパレットとして利用できる物品運搬用パレットを提供することを目的とする。
【０００６】
【課題を解決するための手段】
本発明の請求項１に係る物品運搬用パレットは、上記目的を達成するために、物品を乗せるためのボード材の下側に複数のケタ部材を配してなる物品運搬用パレットにおいて、上記ケタ材の少なくとも一つを上記ボード材から取り外し可能とし、かつ該ケタ材が、一面を斜面とする２分割材からなることを特徴とする。
【０００７】
同請求項２に係るものは、上記目的を達成するために、物品を乗せるための一対のボード材の間に複数のケタ部材を配してなる物品運搬用パレットにおいて、上記ケタ材の少なくとも一つを上記ボード材の間から抜き取り可能とし、かつ該ケタ材が、一面を斜面とする２分割材からなることを特徴とする。
【０００８】
同請求項３に係るものは、上記目的を達成するために、物品を乗せるための一対のボード材の間に複数のケタ部材を配してなる物品運搬用パレットにおいて、上記ボード材の間に上記ケタ材の一つを装着保持する開口支持部を設け、かつ該開口支持部に装着する上記ケタ材が、一面を斜面とする２分割材からなることを特徴とする。
【０００９】
【発明の実施の形態】
以下本発明の実施の形態を図面を参照して説明する。
図１は本発明に係る物品運搬用パレットの一実施形態を示す斜視図（Ａ）と荷下ろしに使用している状態の斜視図（Ｂ）、図２は製品搭載状態の断面図である。本実施形態の物品運搬用パレット１は、上デッキボード２、これと平行に位置する下デッキボード３、両デッキボード２、３の間に設ける３つのケタ部材４、５、６とからなる。図中１０が搭載対象の製品であり、図３に示すように底面に複数のキャスター１１を備えている。
【００１０】
上デッキボード２及び下デッキボード３、また両デッキボード２、３の両端に位置する２つのケタ部材４、６は一般的な構造のものであるが、中央のケタ部材５は、両デッキボード２、３の間に設けた開口支持部７へ挿入、抜去可能に取り付けてある。
【００１１】
開口支持部７は、例えば矩形断面の中空部材を両デッキボード２、３の間に固定して構成することができる。また両デッキボード２、３の間に一対の板状の部材を間隔を開けて固定することにより開口支持部７を区画形成することもできる。さらには、特に部材を用いず、両デッキボード２、３の間の空間を利用し、中央のケタ部材５をピン止め等することにより構成しても良い。そのような場合、両デッキボード２、３の少なくともいずれか一方に浅い平溝等を設けてケタ部材５の挿抜、位置決め等を行うようにすることもできる。さらには両デッキボード２、３の間の端部を蓋状の部材で塞いでも良い。またさらには両デッキボード２、３の間に緩衝材などを入れて開口支持部７を区画形成すること等もできる。
【００１２】
ケタ部材５は、矩形の柱状部材を一面を斜面とする２分割してくさび状にした形状を有する２部材（以下斜面部材という）５ａ、５ａからなる。もちろん一体の部材を分割形成しても、あるいは別部材を同形のくさび状に形成したものでも、いずれでも良いが、各斜面部材５ａの斜面５ｂの傾斜が同一またはほぼ同一であり、向きを逆にして斜面５ｂ同士を合わせて矩形の柱状部材として組み合わせることができるものとする。
【００１３】
この物品運搬用パレットの一実施形態の使用状態を説明する。まず図２に示すようにキャスター１１付きの製品１０をパレット１の上デッキボード２上に搭載し、所定の荷下ろし場所へ運搬してきたものとする。
【００１４】
その状態から梱包部材があれば開梱作業を行い、なければそのまま荷下ろし作業に移行する。まず、開口支持部７内からケタ部材５を抜き出し、２分割し、一対の斜面部材５ａをそれぞれ斜面５ｂを上に向け、図１（Ｂ）に示すように傾斜の高い方の端部をパレット１の端部に接触あるいは近接させて配置する。なお図では開口支持部７が開口している縁側に斜面部材５ａを傾斜台として配置しているが、ケタ部材４、６一方の側面側に配置しても良い。なおもちろん、斜面部材５ａ、５ａの位置及び間隔は、キャスター１１の間隔に対応させる必要がある。
【００１５】
この状態からキャスター１１を利用して作業員が製品１０を押し動かす等し、キャスター１１を斜面部材５ａの斜面５ｂ上に載せ、製品１０を斜めに床面や地面の上等へ下す。製品１０を下ろした後、２分割してあった斜面部材５ａ、５ａを合わせて元のケタ部材５として組み合わせ、開口支持部７から両デッキボード２、３の間へ戻して収納し、作業を完了する。
【００１６】
【発明の効果】
本発明に係る物品運搬用パレットは、以上説明してきたようなものなので、パレットとしての構造を形成する上で必要なケタ材を分割できる構成として荷下ろし用の傾斜台として使用できるようにすることで、パレットとしての構造には本来必要はない専用の傾斜台を用意する必要がなくなり、その分コストを節約でき、また荷下ろしが簡単に行えるのでリフター付きトラックでの納品といった制約もなくせるという効果がある。
【図面の簡単な説明】
【図１】本発明に係る物品運搬用パレットの一実施形態を示す斜視図（Ａ）と荷下ろしに使用している状態の斜視図（Ｂ）である。
【図２】図１のパレットに製品を搭載した状態の断面図である。
【符号の説明】
１  パレット
２  上デッキボード
３  下デッキボード
４、５、６  ケタ部材
５ａ  斜面部材
５ｂ  斜面部材の斜面
７  開口支持部
１０  製品
１１  キャスター
【図１】
2004256113.tif 000003
【図２】
2004256113.tif 000004